(57)【要約】【課題】移動・停止を検知しサーチモードの期間を切り替え、電池消耗を抑える。【解決手段】ワイヤレスキー１０１にサーチ切替手段３、移動検知手段１０を設け、移動検知手段１０で停止を検知すると、ワイヤレスキー１０１は、サーチモードの期間を短縮し、またサーチ要求信号を送信する間隔を長くして、ワイヤレスキー１０１の電池消耗を抑制する。【選択図】図１
2008147807.tif 000002
【特許請求の範囲】
【請求項１】
ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生させる認証装置であって、
前記ワイヤレスキーと前記本体側装置とが通信範囲外になった時、前記ワイヤレスキーが前記本体側装置の応答を受信するまで一定期間Ｔ１の間、サーチ要求信号の送信を行うサーチモードと、
前記本体側装置が前記ワイヤレスキーと所定の通信範囲にあり、かつ前記本体側装置が登録された前記ワイヤレスキーであるかを認証する認証モードとを備え、
前記ワイヤレスキーに備えて停止中、または移動中を検知する移動検知手段の検知情報により、前記一定期間Ｔ１をＴ２（Ｔ１＞Ｔ２）に変更する、またはＴ２をＴ１に戻すサーチ切替手段を備えた認証装置。
【請求項２】
ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生させる認証装置であって、
前記ワイヤレスキーと前記本体側装置とが通信範囲外になった時、前記本体側装置が前記ワイヤレスキーの応答を受信するまで一定期間Ｔ１の間、サーチ要求信号の送信を行うサーチモードと、
前記ワイヤレスキーが前記本体側装置と所定の通信範囲にあり、かつ前記本体側装置が登録された前記ワイヤレスキーであるかを認証する認証モードとを備え、
前記本体側装置に備えて停止中、または移動中を検知する移動検知手段の検知情報により、前記一定期間Ｔ１をＴ２（Ｔ１＞Ｔ２）に変更する、またはＴ２をＴ１に戻すサーチ切替手段を備えた認証装置。
【請求項３】
前記移動検知手段で移動中を検知したとき、前記サーチモードの一定期間Ｔ２をＴ１（Ｔ１＞Ｔ２）に延長する請求項１または２に記載の認証装置。
【請求項４】
前記移動検知手段で移動中を検知したとき、前記サーチモード中のサーチ要求信号の送信間隔を小さくする請求項１〜３のいずれか１項に記載の認証装置。
【請求項５】
前記移動検知手段で停止中を検知したとき、前記サーチモードの一定期間Ｔ１をＴ２（Ｔ１＞Ｔ２）に短縮する請求項１または２に記載の認証装置。
【請求項６】
前記移動検知手段で停止中を検知したとき、前記サーチモード中のサーチ要求信号の送信間隔を大きくする請求項１、２または５に記載の認証装置。
【請求項７】
ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生させる認証装置の通信方法であって、
前記ワイヤレスキーと前記本体側装置とが通信範囲外になった時、前記ワイヤレスキーが前記本体側装置の応答を受信するまで一定期間Ｔ１の間、サーチ要求信号の送信を行うサーチモードと、
前記本体側装置が前記ワイヤレスキーとが所定の通信範囲にあり、かつ前記本体側装置が登録された前記ワイヤレスキーであるかを認証する認証モードとを備え、
前記ワイヤレスキーに備えて停止中、または移動中を検知する移動検知ステップと、前記
検知によって前記一定期間Ｔ１をＴ２（Ｔ１＞Ｔ２）に変更する、またはＴ２をＴ１に戻すサーチ切替ステップとを備えた通信方法。
【請求項８】
請求項１〜６のいずれか１項記載の認証装置の少なくとも一部をコンピュータに実現させるためのプログラム。
【発明の詳細な説明】
【技術分野】
【０００１】
本発明は、ワイヤレスキーと本体側装置とで定期的或いは不定期的に無線の送受信を行うことによりお互いの存在を確認しあい、ワイヤレスキーと本体側装置が所定の通信範囲を超えた場合に本体側装置の機能を制限したり或いは警報を発生させる認証装置、通信方法及びプログラムに関するものである。
【背景技術】
【０００２】
近年、セキュリティを考慮しながら携帯電話、あるいはパソコンをはじめとする電子機器の操作ロックを、ワイヤレスで制御するようにしたセキュリティシステムが実用化されてきている。
【０００３】
このようなセキュリティシステムの一形態として、携帯電話の盗難を防止するために、携帯電話の利用者が、カード形態の識別信号送信機を所持し、前記の携帯電話と識別信号送信機との間で予め定めた識別コードを相互に通信し、双方で識別コードを確認できた時に前記携帯電話の使用を可能とするものがある（例えば特許文献１参照）。
【０００４】
このようなワイヤレスによる双方向通信システムの特許文献１では、電子機器等の本体側に搭載された機器において、携帯側装置（以降、ワイヤレスキーと称する）から定期的に発せられる信号を検知する動作を継続して行わせる構成であった。
【０００５】
そして、サーチモード、認証モード、サーチモードから認証モードに移行する中間段階である初期認証モード、という３つのモードを有し、認証モードにおいて電子機器の操作を可能とする構成、サーチモードにおいては電子機器の操作を制限する構成が示されている。サーチモードと認証モードの識別は電波強度によって行われる。
【０００６】
例えば、電波強度が強い（ワイヤレスキーを持った利用者との距離が近い）ときは認証モードとして電子機器が使用可能とし、電波強度が弱い（距離が遠い）ときにはサーチモードとして電子機器を使用制限する。
【０００７】
また、セキュリティシステムの別の形態として、無線キー装置と通信端末装置の間で通信され相手に応答を求める信号（以降サーチ要求信号と称する）の送信周期を、非接続の時間に応じて複数段階に変化させ、消費電力を低減するようにするシステムがある（例えば特許文献２参照）。
【特許文献１】特開２００４−１４３８０６号公報
【特許文献２】特開２００６−２０００５号公報
【発明の開示】
【発明が解決しようとする課題】
【０００８】
しかしながら、前記従来の構成では、サーチモードでワイヤレスキーから送信される電波が届かず、認証される可能性が小さいと思われる使用状況においても、同じようにサーチ要求信号を送信している。
【０００９】
例えば、利用者が夜寝ている状況において、ワイヤレスキーと本体側装置を認証距離以内に置かれていない場合には、サーチモードになり、ワイヤレスキーはサーチ要求信号を送信し続ける。しかしながら、利用者は本体側装置である携帯電話を利用しておらず、一旦離れて置かれた携帯電話（本体側装置）とワイヤレスキーは朝再び使用し始めるまでは、認証モードになる可能性は小さい。
【００１０】
そして予め設定されたサーチモード期間、例えば最長４８時間の長い期間にわたってサーチ要求信号の電波を送信し続けるため、ワイヤレスキーの電池消耗を早めてしまう。
【００１１】
本発明は、前記従来の課題を解決するもので、携帯電話（本体側装置）に対してサーチ要求信号を送信するワイヤレスキーのサーチ要求信号の電波が、利用者の使用状況に応じて、サーチ要求信号の送信の間隔、期間を可変させ、利用者が意識せずに使用していても、使用されていない状況を検知すると、短時間で送信停止され電池消耗を抑える認証装置、通信方法およびプログラムを提供することを目的とする。
【課題を解決するための手段】
【００１２】
ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生する認証装置であって、前記ワイヤレスキーと本体側装置が通信範囲外になった時、前記ワイヤレスキーが前記本体側装置の応答を受信するまで一定期間Ｔ１、例えば４８時間の間、サーチ要求信号の送信を行うサーチモードと、前記本体側装置が前記ワイヤレスキーとが所定の通信範囲にあり、かつ前記本体側装置が登録された前記ワイヤレスキーであるかを認証する認証モードを備え、前記ワイヤレスキーに備えた移動中、停止中を検知する移動検知手段の検知情報により、前記一定期間Ｔ１をＴ２（Ｔ１＞Ｔ２）、例えば１時間、またはＴ２をＴ１に変更するサーチモード切替手段を備えた認証装置を構成したものである。
【００１３】
これによって、例えば利用者が夜就寝中などに、ワイヤレスキーと本体側装置を認証距離以上に離して放置した場合では、ワイヤレスキーの移動検知手段で停止中を検知し、移動中のサーチ期間Ｔ１から停止中のときのサーチ要求信号の送信期間Ｔ２（Ｔ１＞Ｔ２）に変更することで、ワイヤレスキーの移動検知手段で停止中を検知し、本体側装置と通信できない状態が定常化した場合、ワイヤレスキーがサーチ要求信号を送信する期間を短縮するので、ワイヤレスキーの電池消耗を減らすことができ、また不要な電波の送信を抑制することができる。また逆に移動中を検知するとサーチ要求信号の送信期間をＴ２からＴ１に延長し、短時間でワイヤレスキーが停止してしまうことを防ぎ、利用者の利便性を損ねないようにできる。
【発明の効果】
【００１４】
本発明を用いることにより、利用者の使用状況に応じて、サーチ要求信号の送信期間を変更し、利用者が意識せずに使用していても、ワイヤレスキーを使用していないときは短時間で送信停止され、使用中のときは送信期間を長くするので、利用者の利便性を損ねず、効果的にワイヤレスキーの電池消耗を抑制し、また不要な電波送信を抑制する効果がある。
【発明を実施するための最良の形態】
【００１５】
第１の発明は、ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生させる認証装置であって、前記ワイヤレスキーと前記本体側装置とが通信範囲外になった時、前記ワイヤレスキーが前記本体側装置の応答を受信するまで一定期間Ｔ１の間、サーチ要求信号の送信を行うサーチモードと、前記本体側装置が前記ワイヤレスキーと所定の通信範囲にあり、かつ前記本体側装置が登録された前記ワイヤレスキーであるかを認証する認証モードとを備え、前記ワイヤレスキーに備えて停止中、または移動中を検知する移動検知手段の検知情報により、前記一定期間Ｔ１をＴ２（Ｔ１＞Ｔ２）に変更する、またはＴ２をＴ１に戻すサーチ切替手段を備えた認証装置を構成したものである。
【００１６】
そしてワイヤレスキーの移動検知手段で移動中、停止中を検知しワイヤレスキーの利用者の使用状況に応じて、サーチ要求信号を送信する期間を変更することによって、サーチ要求信号の送信期間を短縮、延長を可能とし、無駄にサーチ要求信号を送信しワイヤレスキーの電池消耗を防止するとともに、必要時にはサーチ期間を長くして利便性を損ねないようにできる。
【００１７】
第２の発明は、ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生させる認証装置であって、前記ワイヤレスキーと前記本体側装置とが通信範囲外になった時、前記本体側装置が前記ワイヤレスキーの応答を受信するまで一定期間Ｔ１の間、サーチ要求信号の送信を行うサーチモードと、前記ワイヤレスキーが前記本体側装置と所定の通信範囲にあり、かつ前記本体側装置が登録された前記ワイヤレスキーであるかを認証する認証モードとを備え、前記本体側装置に備えて停止中、または移動中を検知する移動検知手段の検知情報により、前記一定期間Ｔ１をＴ２（Ｔ１＞Ｔ２）に変更する、またはＴ２をＴ１に戻すサーチ切替手段を備えた認証装置を構成したものである。
【００１８】
そして本体側装置の移動検知手段で移動中、停止中を検知し、本体側装置を搭載した携帯電話の利用者の使用状況に応じて、サーチ要求信号を送信する期間を変更することによって、サーチ要求信号の送信期間を短縮、延長を可能とし、無駄にサーチ要求信号を送信することによる電力消費を抑制する。携帯電話側に搭載することにより、携帯電話の機能にも移動検知手段を利用することができ、またワイヤレスキーよりサーチ要求信号を送信しないので、電力容量の小さい電池搭載の可能性が大きいワイヤレスキーの消費電力を抑える認証装置にできる。
【００１９】
第３の発明は、前記移動検知手段で移動中を検知したとき、前記サーチモードの一定期間Ｔ２をＴ１（Ｔ１＞Ｔ２）に延長するものである。
【００２０】
そして、たとえば、移動検知手段でワイヤレスキーが移動中である検知した場合、本体側装置の機器も使用されている可能性が高いので、現時点でサーチモードであっても、ワイヤレスキーと本体側装置が近づく可能性が高いため、サーチ要求信号を送信する期間を長くし、長い期間本体側装置を探し続けるようにすることで利便性を向上させる。
【００２１】
第４の発明は、前記移動検知手段で移動中を検知したとき、前記サーチモード中のサーチ要求信号の送信間隔を小さくするものである。
【００２２】
そして、たとえば、ワイヤレスキーの移動検知手段で移動中を検知したとき、本体側装置も使用されている可能性が高いので、現時点でサーチモードであっても、サーチ要求信号の送信間隔を小さくすることで、認証モードへ移行する機会を増やすとともに、本体側装置を備えた携帯電話などの機能制限が解除・復帰する時間を短くし、ワイヤレスキーの利便性を向上させる。
【００２３】
第５の発明は、前記移動検知手段で停止中を検知したとき、前記サーチモードの一定期間Ｔ１をＴ２（Ｔ１＞Ｔ２）に短縮するものである。
【００２４】
そして、たとえば、ワイヤレスキーの移動検知手段で停止中を検知したとき、ワイヤレスキーを保持する利用者は動いていない又は置きっぱなしなので、本体側装置と近づく可能性が小さく、サーチ期間を短縮させても、利便性を損なうことなくワイヤレスキーの電池消耗を低減、そして不要な電波送信を抑制する。
【００２５】
第６の発明は、前記移動検知手段で停止中を検知したとき、前記サーチモード中のサーチ要求信号の送信間隔を大きくするものである。
【００２６】
そして、たとえば、ワイヤレスキーの移動検知手段で停止中を検知したとき、ワイヤレスキーを保持する利用者は動いていない又は置きっぱなしなので、本体側装置と近づく可能性が小さいので、サーチ要求信号の送信間隔を大きくしても、利便性を損なうことなくワイヤレスキーの電池消耗を低減し、そして不要な電波送信を抑制できるようになる。
【００２７】
第７の発明は、ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生させる認証装置の通信方法であって、前記ワイヤレスキーと前記本体側装置とが通信範囲外になった時、前記ワイヤレスキーが前記本体側装置の応答を受信するまで一定期間Ｔ１の間、サーチ要求信号の送信を行うサーチモードと、前記本体側装置が前記ワイヤレスキーとが所定の通信範囲にあり、かつ前記本体側装置が登録された前記ワイヤレスキーであるかを認証する認証モードとを備え、前記ワイヤレスキーに備えて停止中、または移動中を検知する移動検知ステップと、前記検知によって前記一定期間Ｔ１をＴ２（Ｔ１＞Ｔ２）に変更する、またはＴ２をＴ１に戻すサーチ切替ステップとを備えた通信方法である。
【００２８】
そしてワイヤレスキーの移動検知手段で移動中、停止中を検知しワイヤレスキーの利用者の使用状況に応じて、サーチ要求信号を送信する期間を変更することによって、サーチ要求信号の送信期間を短縮、延長を可能とし、無駄にサーチ要求信号を送信しワイヤレスキーの電池消耗を防止するとともに、必要時にはサーチ期間を長くして利便性を損ねないようにできる。
【００２９】
第８の発明は、第１〜６の認証装置の少なくとも一部をコンピュータに実現させるためのプログラムである。
【００３０】
そして、プログラムであるので、電気・情報機器、コンピュータ、等のハードリソースを協働させて本発明の少なくとも一部を簡単なハードウェアで実現できる。また記録媒体に記録したり通信回線を用いてプログラムを配信したりすることでプログラムの配布・更新やそのインストール作業が簡単にできる。
【００３１】
以下、本発明の実施の形態について、図面を参照しながら説明する。なお、この実施の形態によって本発明が限定されるものではない。
【００３２】
（実施の形態１）
図１は本発明の実施の形態１における認証装置のブロック図を示すものである。
【００３３】
図１において、ワイヤレスキー１０１は、第一のアンテナ１、第一の送受信手段２、サーチ切替手段３で構成されている。サーチ切替手段３は、たとえばセンサからの信号を入力する電子的なスイッチ（マイコンなど）である。本実施の形態では電子スイッチとして説明するがそれに限定されない。
【００３４】
携帯電話１０２は、本体側端末装置１０３である第二のアンテナ４、第二の送受信手段５と、携帯電話の構成要素である携帯電話アンテナ６、携帯電話キャリア送受信手段７、キャリア判定手段８、表示手段９で構成されている。
【００３５】
本実施の形態では、本体側端末装置１０３は携帯電話１０２に組み込んだものを説明す
るが、ノートパソコンなどの電子機器に組み込んで使用することも可能である。ワイヤレスキー１０１と本体側端末装置１０３が認証装置を構成している。
【００３６】
ワイヤレスキー１０１と本体側端末装置１０３の間の認証方法について図２を参照しながら説明する。
【００３７】
ワイヤレスキー１０１からは認証要求信号１１が短時間送信される。本体側端末装置１０３は前記認証要求信号１１を受信すると認証応答信号１２を送信する。認証要求信号１１及び認証応答信号１２には識別信号が含まれており、前記識別符号を検出することによりお互いが紐付けされた相手であることを認証する。
【００３８】
例えば８秒ごとにワイヤレスキー１０１から認証要求信号１１、１３と順次送信され、識別符号を検出・認証したときに本体側端末装置１０３から応答１２、１４が返信される。この繰り返しによりお互いの認証が維持される。
【００３９】
このように認証要求信号に対して認証応答信号を返信しお互いが認証しあっている状態が認証モードであり、この認証モードの期間は本体側端末装置１０３が組み込まれた携帯電話１０３などの電子機器の機能制限及びワイヤレスキー１０１からの警報は行わない。
【００４０】
認証要求信号１１、１３や認証応答信号１２、１４の送受信は図１の第一の送受信手段２や第二の送受信手段７で行われる。
【００４１】
第一の送受信手段２や第二の送受信手段５で認証要求信号１１、１３や認証応答信号１２、１４の電波を受信すると、図示していないが受信レベルを検出する。受信レベルが所定の受信レベルＡ以上であると判定すれば、認証モードを保持し前記の認証手順を繰り返す。
【００４２】
次にワイヤレスキー１０１と本体側端末装置１０３の間の距離が離れ、本体側端末装置１０３で検出する認証要求信号１１、１３の受信レベルが所定の受信レベルＡ以下になった場合について説明する。
【００４３】
ワイヤレスキー１０１からの認証要求信号１５の電波を本体側端末装置１０３で受信できない、或いは受信できるが受信レベルが所定のレベルＡ以下である場合には応答信号を返さない。そしてサーチモードに移行する。
【００４４】
サーチモードに移行すると、本体側端末装置１０３が実装されている携帯電話などの電子機器の機能制限行う。
【００４５】
機能制限とは例えば携帯電話の場合、キー操作を禁止することによりアドレス情報を見られないようにしたり、電子マネー機能を禁止したり、電話の発信を禁止したりすることにより、携帯電話の機能の一部或いは全てを使えなくすることである。
【００４６】
一方、ワイヤレスキー１０１は認証要求信号１５に対する応答信号が帰ってこないため、サーチモードに移行する。そして図示していないが、ブザーを鳴らし置き忘れを報知する。
【００４７】
サーチモードに移行するとサーチ要求信号を２秒ごとに要求信号１６、１７と送信し、一定期間Ｔ１＝４８時間を経過すると、ワイヤレスキー１０１は動作停止１８の状態になる。
【００４８】
次に図３、図４を用いて認証装置であるワイヤレスキー１０１が、移動検知手段１０で移動中・停止中を検知し、その結果サーチモードの期間を切り替える動作、作用について説明する。
【００４９】
図３は、本実施の形態１のワイヤレスキー１０１のブロック構成図である。
【００５０】
図４は、ワイヤレスキー１０１に備えた移動検知手段１０によりサーチ期間を短縮する動作を示すシーケンス図である。
【００５１】
通常、認証装置であるワイヤレスキー１０１と本体側端末装置１０３を備えた携帯電話の距離が離れると、ワイヤレスキー１０１からの認証要求信号（図２の１５）に対する応答電文は帰ってこないためサーチモードへ移行する。この時、サーチ要求信号（図４の１９、２０、２１）は、例えば１秒間隔で繰り返し送信され、本体側端末装置１０３のサーチ応答信号を受信できるかを待っており、サーチ応答信号を受信できなければ、サーチ要求信号を一定時間Ｔ１、例えば４８時間送信し続ける。
【００５２】
しかしながらワイヤレスキー１０１と本体側端末装置１０３の認証装置を保持した利用者が、自宅などにおいて本体側端末装置１０３である携帯電話１０２と、ワイヤレスキー１０１を、距離を離したまま放置すると、サーチモードになり、認証されていない状態になり、機能制限されることが想定される。しかし利用者は携帯電話を使用しない限り実害はない状態が想定される。そのとき、ワイヤレスキー１０１は、サーチ要求信号を送信し続ける。
【００５３】
そこでワイヤレスキー１０１に備えた移動検知手段１０で、ワイヤレスキー１０１が利用者に保持され、移動中かどうかを検知する。移動検知手段１０は、加速度センサや振動センサなどで実現される。そして、自宅などでワイヤレスキー１０１がカバンの中に入れたまま放置されたりすると、移動検知手段１０が「停止検知」すなわち停止中であると検知すると、停止検知信号（図４の２３）をサーチ切替手段３に入力し、サーチ切替手段３によりサーチモードの期間を、例えばＴ１＝４８時間からＴ２＝１時間（Ｔ１＞Ｔ２）のように大きく短縮する（図４の２２）。
【００５４】
この時、サーチ要求信号は、通常のサーチモードの時と同じように送信間隔１秒で、サーチ要求電文２４、２５、２６を送信し続け、Ｔ２＝１時間経過すると、ワイヤレスキー１０１の電波の送信動作を停止し電源をＯＦＦし、電源ＯＦＦ２７の状態に移行する。
【００５５】
また図５は、ワイヤレスキー１０１に備えた移動検知手段１０によりサーチ期間を延長する動作を示すシーケンス図である。
【００５６】
前記説明とは逆に、ワイヤレスキー１０１が、利用者に保持され移動し始めると、移動検知手段１０は、「移動検知」すなわち移動中であると検知すると、移動検知信号（図５の２８）をサーチ切替手段３に入力し、サーチ切替手段３によりサーチモードの期間を、例えばＴ２＝１時間からＴ１＝４８時間（Ｔ１＞Ｔ２）のように大きく延長する（図５の２９）。
【００５７】
なお、本実施の形態１では、移動検知手段１０で停止中、移動中を検知すると、すぐにサーチモードの期間を短縮、または延長するように説明したが、一定時間を計時手段（図３の３０）で計測し、予め設定された時間、例えば３０分停止しているとサーチ切替手段３へ入力を行い、同一状態が一定時間継続すると変更するようにしてもよく、より使用状況の判定が細かくなり利便性を向上させる。
【００５８】
また、移動検知手段１０を本体側端末装置１０３側に備えて構成し、本体側端末装置１０３からワイヤレスキー１０１に対してサーチ要求を開始させる構成にしてもよい。そのように構成すると、携帯電話の利用者の使用状況に応じて、サーチ要求信号を送信する期間を変更するので、サーチ要求信号の送信期間を短縮、延長を可能とし、無駄にサーチ要求信号を送信することによる電力消費を抑制する。
【００５９】
携帯電話側に搭載することにより、携帯電話の機能にも移動検知手段を利用することができ、またワイヤレスキーよりサーチ要求信号を送信しないので、電力容量の小さい電池搭載の可能性が大きいワイヤレスキーの消費電力を抑える認証装置にできる。
【００６０】
以上のように、ワイヤレスキーの移動・停止を検知してサーチモードの期間を切り替える。すなわち、ワイヤレスキーが移動しているときは外出中などであり認証装置を動作させる一方で、ワイヤレスキーが移動していないときは置き忘れの可能性が小さいと判断して認証装置のサーチモードの期間を小さくして電池寿命を長くする。
【００６１】
（実施の形態２）
本実施の形態２において前記実施の形態１と異なるのは、サーチモードの期間を切り替えるだけでなく、サーチ要求信号の送信間隔に関しても変更する点について異なる。
【００６２】
図６は、本実施の形態２のワイヤレスキー１０１に備えた移動検知手段１０によりサーチ要求信号の送信間隔を短縮する動作を示すシーケンス図である。
【００６３】
前記実施例と同一の構成要素に関しては、同一番号を付し説明を省略する。
【００６４】
移動検知手段１０で停止を検知すると、サーチ切替手段３に停止検知信号を入力する。サーチ切替手段３は、サーチモードの期間をＴ１＝４８時間からＴ２＝１時間（Ｔ１＞Ｔ２）に短縮すると共に、次回のサーチ要求信号に、停止検知したことを示すフラグ情報を立て本体側端末装置１０３へ送信する（図６の３１）。
【００６５】
停止検知を含むサーチ要求信号を受信した本体側端末装置１０３は、受信した信号の電界強度レベルを判定し、所定の電界強度レベルＡ以上であれば、認証モードへ移行する。電界強度レベルがＡ以下で、サーチ要求信号の中に停止検知フラグが立っている場合、本体側端末装置１０３は、停止検知応答をワイヤレスキー１０１へ応答すると共に、同じくサーチ期間をＴ１＝４８時間からＴ２＝１時間へ短縮し、サーチ要求信号の受信待ちを間欠的に行う。
【００６６】
そしてワイヤレスキー１０１は、停止検知応答３２を受信すると、サーチ要求信号２４、２５、２６を送信する間隔を、２秒から８秒に変更する。同時に、本体側端末装置１０３も１秒から４秒間欠で受信するように変更する。
【００６７】
なお、本体側端末装置１０３とワイヤレスキー１０１が通信できない距離にあり、停止検知フラグを含むサーチ要求信号を受信できない場合には、ワイヤレスキー１０１のサーチ要求信号の送信間隔、および本体側端末装置１０３の間欠受信間隔は変更しない。
【００６８】
また逆に、図示はしないが、移動検知手段１０から移動検知がサーチ切替手段３に入力されると、同様にサーチ要求信号に移動検知フラグを立てて、ワイヤレスキー１０１から本体側端末装置１０３へ送信し、その応答を本体側端末装置１０３はワイヤレスキー１０１に返信する。
【００６９】
そして、サーチモードの期間をお互いに、Ｔ２＝１時間からＴ１＝４８時間に延長し、
サーチ要求信号の送信間隔を８秒から２秒に変更する。同時に本体側端末装置１０３の間欠受信間隔も８秒から２秒間隔に短くする。
【００７０】
なお、本実施の形態のサーチモードの期間、サーチ要求信号の送信間隔、間欠受信間隔などは一例であり、これに限定されない。
【００７１】
以上のように、ワイヤレスキーの移動・停止を検知してサーチモードの期間とともにサーチ要求の送信間隔を切り替える。すなわち、ワイヤレスキーが移動しているときは外出中などであり認証装置を動作させる必要があるので、サーチ要求を短時間の間隔で行い認証を素早く行う一方で、ワイヤレスキーが移動していないときは置き忘れの可能性が小さいため認証装置のサーチモードの期間を小さくして電池寿命を長くする。そのときに送信間隔を長くして一時的な通信障害の影響を小さくする。
【００７２】
なお、本実施の形態１、２において携帯電話１０２に本体側端末装置１０３を備えた認証装置を説明したが、携帯電話でなくてもよくノートＰＣやその他の電子機器でも同様の効果がある。
【００７３】
また、認証装置の利用している電波帯として、特定小電力無線帯４２６ＭＨｚを用いて説明したが、周波数帯には依存しない。
【００７４】
このように本実施の形態のように構成すれば、ワイヤレスキーの移動検知手段で移動中、停止中を検知しワイヤレスキーの利用者の使用状況に応じて、サーチ要求信号を送信する期間を変更することによって、サーチ要求信号の送信期間を短縮、延長を可能とし、無駄にサーチ要求信号を送信しワイヤレスキーの電池消耗を減らし、必要時にはサーチ期間を長くして利便性をよくする。
【００７５】
また移動検知手段でワイヤレスキーが移動中である検知した場合、本体側装置の機器も使用されている可能性が高いので、現時点でサーチモードであっても、ワイヤレスキーと本体側装置が近づく可能性が高いため、サーチ要求の期間を長くし、長い期間本体側装置を探し続けるようにし、利便性を向上する。
【００７６】
またワイヤレスキーの移動検知手段で移動中を検知したとき、本体側装置も使用されている可能性が高いので、現時点でサーチモードであっても、サーチ要求信号の送信間隔を小さくすることで、認証モードへ移行する機会を増やすとともに、本体側装置である携帯電話などの機能制限が解除・復帰する時間を短くし、ワイヤレスキーの利便性を向上させる。
【００７７】
またワイヤレスキーの移動検知手段で停止中を検知したとき、ワイヤレスキーを保持する利用者は動いていない又は置きっぱなしなので、本体側装置と近づく可能性が小さく、サーチ期間を短縮させても、利便性を損なうことなくワイヤレスキーの電池消耗を低減する。
【００７８】
またワイヤレスキーの移動検知手段で停止中を検知したとき、ワイヤレスキーを保持する利用者は動いていない又は置きっぱなしなので、本体側装置と近づく可能性が小さいので、サーチ要求信号の送信間隔を大きくしても、利便性を損なうことなくワイヤレスキーの電池消耗を低減できる。
【００７９】
また、図示しないが認証装置に時計を備えて、移動検知と共に時刻も加えて判断してもよい。
【００８０】
例えば、夜中で停止検知があれば、就寝中と判断してサーチモードの期間を短くする、送信間隔を長くする。日中であれば、停止検知であっても外出中と判断してサーチモードの期間を短くしない、送信間隔を長くしない。もちろん、個人の生活状況によって異なるので、時刻と移動検知とを学習すればさらに正確になるのは言うまでもない。
【００８１】
また本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００８２】
本発明は、認証を行うワイヤレスキーのサーチ要求信号の送信期間を制限する機能を提供することができ、ワイヤレスキーを用いたセキュリティシステムに利用できる。また、携帯電話に限らず、パソコンやＰＤＡなどでも利用することができる。
【図面の簡単な説明】
【００８３】
【図１】本発明の実施の形態１及び２における認証装置のブロック図
【図２】本発明の実施の形態１及び２における認証装置の通信シーケンスを説明する図
【図３】本発明の実施の形態１及び２における認証装置のブロック図
【図４】本発明の実施の形態１における認証装置の通信シーケンスを説明する図
【図５】本発明の実施の形態１における認証装置の通信シーケンスを説明する図
【図６】本発明の実施の形態２における認証装置の通信シーケンスを説明する図
【符号の説明】
【００８４】
３  サーチ切替手段
１０  移動検知手段
１０１  ワイヤレスキー
１０２  携帯電話
１０３  本体側端末装置（本体側装置）
【図１】
2008147807.tif 000003
【図２】
2008147807.tif 000004
【図３】
2008147807.tif 000005
【図４】
2008147807.tif 000006
【図５】
2008147807.tif 000007
【図６】
2008147807.tif 000008